(57)【要約】【課題】不要光が最終的に受光素子に入射しないようにして、撮像した画像の劣化を防止するレンズ鏡筒ユニット並びにそれを用いる光学機器及び電子機器を提供する。【解決手段】レンズ鏡筒ユニット１は、１つ又は複数のレンズ３５を有し、レンズ３５の光軸ＡＸの方向に移動可能な可動レンズ枠３０と、レンズ３５を通過した光を受光する受光部材１２と、受光部材１２の受光面を囲んで光軸ＡＸ方向に延在する遮光壁２０と、可動レンズ枠３０を収容する筐体８０と、を備える。【選択図】図５
2017049330.tif 000002
【特許請求の範囲】
【請求項１】
１つ又は複数のレンズを有し、前記レンズの光軸の方向に移動可能な可動レンズ枠と、
前記レンズを通過した光を受光する受光部材と、
前記受光部材の受光面を囲んで前記光軸方向に延在する遮光壁と、
前記可動レンズ枠を収容する筐体と、
を備える、レンズ鏡筒ユニット。
【請求項２】
前記光軸に直交する面を有するベース部をさらに含み、
前記受光部材が前記ベース部の前記光軸に直交する面に固定されている、請求項１に記載のレンズ鏡筒ユニット。
【請求項３】
前記遮光壁は、前記ベース部の前面から前記光軸方向に延在する、請求項２に記載のレンズ鏡筒ユニット。
【請求項４】
前記遮光壁の前記ベース部からの延在長さは、前記可動レンズ枠が前記受光部材から最も離れた位置にあるときの当該可動レンズ枠の後端から前記ベース部の前面までの距離以上である、請求項３に記載のレンズ鏡筒ユニット。
【請求項５】
前記ベース部は開口部を有し、
前記受光部材は、前記開口部の後面側に固定されている、請求項２乃至４のいずれか１項に記載のレンズ鏡筒ユニット。
【請求項６】
前記遮光壁は前記ベース部と一体的に成形されている、請求項２乃至５のいずれか１項に記載のレンズ鏡筒ユニット。
【請求項７】
前記可動レンズ枠は、レンズ保持部の少なくとも一部が前記遮光壁の内側の空間に移動可能である、請求項１乃至６のいずれか１項に記載のレンズ鏡筒ユニット。
【請求項８】
前記可動レンズ枠の外周の一部に、前記遮光壁の前端部の内側の形状と相補的な部分を備える、請求項１乃至７のいずれか１項に記載のレンズ鏡筒ユニット。
【請求項９】
請求項１乃至８のいずれか１項に記載のレンズ鏡筒ユニットを備える光学機器。
【請求項１０】
請求項１乃至８のいずれか１項に記載のレンズ鏡筒ユニットを備える電子機器。
【発明の詳細な説明】
【技術分野】
【０００１】
本発明は、レンズ鏡筒ユニット並びにそれを用いる光学機器及び電子機器に関する。
【背景技術】
【０００２】
レンズ鏡筒と受光素子を備える撮像装置においては、レンズに入射した光が想定外の方向に反射することにより、撮影した画像にフレアやゴーストが生じることがある。またレンズ部材と他の部材との隙間から光が入射することにより、同様な事象が生じることがある。
【０００３】
そのため、不要な光（以下、「不要光」ともいう）が受光素子に入射して画像にフレアやゴーストを生じることのないように、従来からさまざまな工夫がなされてきた。例えば特許文献１には、可撓性の配線板が配置された開口部を覆う遮光部材を備えるレンズ鏡筒が開示されている。また特許文献２には、高分子材料を含む多孔質の微粒子で内壁面を被覆して光の反射を低減した光学部品が開示されている。
【先行技術文献】
【特許文献】
【０００４】
【特許文献１】特開平７−８４１６８号公報
【特許文献２】特開２０１２−２８９５号公報
【発明の概要】
【発明が解決しようとする課題】
【０００５】
特許文献１に記載の技術は、光学機器の可動部材と固定部材との間の隙間から入射する不要光を遮光部材で遮光するものである。これは隙間をできるだけ塞ぐように遮光部材や絞り部材を配置することにより、不要光を減らそうとするものである。
【０００６】
焦点可変レンズのように、レンズ枠の位置が移動する光学機器においては、レンズ枠を移動させるために鏡筒との間に隙間が生じ、この隙間から不要光が入射する。しかし隙間を完全に塞ぐことは困難である。また隙間を塞ごうとすればするほど構造が複雑になり、製造コストが増加する。
【０００７】
特許文献２に開示の技術は、光学機器内部に入射した不要光が反射しないように内壁面に光を吸収する特殊な材料を被覆したものである。しかし不要光を完全に吸収することは困難である。また特殊な材料で光学機器内壁面を被覆することは、新たな材料コストが発生し、また製造工程も増えて製造コスト増加につながる。
【０００８】
以上のように、不要光が光学機器内に入射しないように遮光する構造や、光学機器内に入射した不要光を内壁面で吸収する構造では、いずれも製造コストが大きく増加する可能性がある。
【０００９】
更に、製造コスト増加を抑制するなどの観点で、不要光が最終的に受光素子に入射しないようにするための構造を用いてフレアやゴーストの発生を抑制し、撮像した画像の劣化を防止するレンズ鏡筒ユニットが望まれていた。
【００１０】
本発明は上記のような問題を解決するためになされたものであり、不要光が最終的に受光素子に入射しないようにして、撮像した画像の劣化を防止するレンズ鏡筒ユニット並びにそれを用いる光学機器及び電子機器を提供することを目的とする。
【課題を解決するための手段】
【００１１】
（１）上記目的を達成するため、本発明に係るレンズ鏡筒ユニットは、
１つ又は複数のレンズを有し、前記レンズの光軸の方向に移動可能な可動レンズ枠と、
前記レンズを通過した光を受光する受光部材と、
前記受光部材の受光面を囲んで前記光軸方向に延在する遮光壁と、
前記可動レンズ枠を収容する筐体と、
を備える。
これにより、受光面に入射する不要光を効果的に遮ることができる。
【００１２】
（２）例えば、前記光軸に直交する面を有するベース部をさらに含み、
前記受光部材が前記ベース部の前記光軸に直交する面に固定されていてもよい。
これにより、受光部材の受光面も光軸に直交する。
【００１３】
（３）例えば、前記遮光壁は、前記ベース部の前面から前記光軸方向に延在してもよい。
これにより、不要光の入射を効果的に遮ることができる。
【００１４】
（４）例えば、前記遮光壁の前記ベース部からの延在長さは、前記可動レンズ枠が前記受光部材から最も離れた位置にあるときの当該可動レンズ枠の後端から前記ベース部の前面までの距離以上であってもよい。
これにより、不要光の入射をより効果的に遮ることができる。
【００１５】
（５）例えば、前記ベース部は開口部を有し、
前記受光部材は、前記開口部の後面側に固定されていてもよい。
これにより、受光部材の最小限の範囲を囲むように遮光壁を構成することができ、不要光の入射をより効果的に遮ることができる。
【００１６】
（６）例えば、前記遮光壁は前記ベース部と一体的に成形されていてもよい。
これにより、不要光の入射をより効果的に遮ることができる。
【００１７】
（７）例えば、前記可動レンズ枠は、レンズ保持部の少なくとも一部が前記遮光壁の内側の空間に移動可能であってもよい。
これにより、できるだけ高い遮光壁を構成することができ、不要光の入射をより効果的に遮ることができる。
【００１８】
（８）例えば、前記可動レンズ枠の外周の一部に、前記遮光壁の前端部の内側の形状と相補的な部分を備えてもよい。
これにより、できるだけ高い遮光壁を構成することができるとともに、不要光の入射をより効果的に遮ることができる。
【００１９】
（９）上記目的を達成するため、本発明に係る光学機器又は電子機器は、上記（１）乃至（８）のいずれか１つに記載のレンズ鏡筒ユニットを備える。
【発明の効果】
【００２０】
本発明によれば、不要光が最終的に受光素子に入射しないようにして、撮像した画像の劣化を防止するレンズ鏡筒ユニット並びにそれを用いる光学機器及び電子機器を提供することができる。
【図面の簡単な説明】
【００２１】
【図１】（ａ）は本発明の一実施形態に係るレンズ鏡筒ユニットの前方からみた斜視図、（ｂ）は後方からみた斜視図である。
【図２】（ａ）は図１に示すレンズ鏡筒ユニットのベース部を除いたときの後方からみた斜視図、（ｂ）はベース部を前方からみた斜視図である。
【図３】図１に示すレンズ鏡筒ユニットの分解構造図である。
【図４】図１に示すレンズ鏡筒ユニットの第１レンズ枠の斜視図である。
【図５】（ａ）は図１に示すレンズ鏡筒ユニットの、最も望遠時におけるＸ−Ｘ方向の断面図、（ｂ）は図１に示すレンズ鏡筒ユニットの、最も広角時におけるＸ−Ｘ方向の断面図である。
【図６】図５（ｂ）のＰ部の拡大図である。
【図７】図１に示すレンズ鏡筒ユニットの、（ａ）は最も望遠のときの第１レンズ枠と遮光壁との配置関係を示す図、（ｂ）は中間位置にあるときの第１レンズ枠と遮光壁との配置関係を示す図、（ｃ）は最も広角のときの第１レンズ枠と遮光壁との配置関係を示す図である。
【図８】本発明の他の実施の形態に係るレンズ鏡筒ユニットの、（ａ）は最も広角のときの第１レンズ枠と遮光壁との配置関係を示す図、（ｂ）は最も望遠のときの第１レンズ枠と遮光壁との配置関係を示す図である。
【図９】本発明の一実施形態に係るレンズ鏡筒ユニットを用いる監視カメラシステムである。
【発明を実施するための形態】
【００２２】
本発明の実施の形態に係るレンズ鏡筒ユニット１について、図面を参照して説明する。レンズ鏡筒ユニット１は、２つの可動レンズ枠を有し、例えば焦点距離可変型の監視カメラ等に用いられる。
【００２３】
以下の説明において、レンズ鏡筒ユニット１に内蔵されたレンズ群の光軸方向の被写体側を「前方」と、イメージセンサ（受光部材）１２側を「後方」ともいい、図面では「（前）」「（後）」と示す。また、「上」、「下」、「左」、「右」と記載することがあるが、特記しない場合は単に図の紙面での方向を指すものであり、本発明を限定するものではない。
【００２４】
レンズ鏡筒ユニット１は、図１及び図２に示すように、略円筒状の非光透過性の合成樹脂製の筐体（レンズ鏡筒）８０と、筐体８０の後端に配置された非光透過性の合成樹脂製のベース部１０とを備える。以下に各部材について説明する。
【００２５】
（筐体８０）
筐体８０は、図３に示すように、受光部材側にある第１レンズ群３５を含む第１レンズ枠（第１の可動レンズ枠）３０と、被写体側にある第２レンズ群６３を含む第２レンズ枠（第２の可動レンズ枠）６０とを収容する。第１レンズ群３５の光軸と第２レンズ群６３の光軸は、１つの光軸ＡＸに重なるように構成されている。
【００２６】
第１レンズ枠３０と第２レンズ枠６０は、後述の第１駆動モータ４５と第２駆動モータ５５とによって、それぞれが光軸ＡＸ方向に移動可能に構成されている。これにより、光学系の焦点距離を変える、即ち倍率を変えることができる。
【００２７】
筐体８０には、絞りユニット７０が固定されている。絞りユニット７０は、撮像倍率や被写体の明るさに応じて入射する光量を調節するユニットである。絞りユニット７０の絞り部７１は、第１レンズ枠３０と第２レンズ枠６０との間の光束が通過する位置に配置されている。絞り部７１は、第１レンズ枠３０と第２レンズ枠６０がそれぞれ前後に移動しても、どちらとも干渉しない位置に配置されている。
【００２８】
（ベース部１０）
ベース部１０は、図１（ｂ）に示すように、筐体８０の後端に４つのネジ１３によってネジ止めされている。ネジ１３はベース部１０のネジ貫通孔１４（図２（ｂ）参照）を貫通して筐体８０のネジ孔３９（図２（ａ）参照）に螺合している。
【００２９】
ベース部１０の後面１５には、図１（ｂ）に示すように、略矩形のイメージセンサ（受光部材）１２が固定されている。イメージセンサ１２は、ＣＣＤ（Ｃｈａｒｇｅ  Ｃｏｕｐｌｅｄ  Ｄｅｖｉｃｅ）又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等から構成される。
【００３０】
イメージセンサ１２が固定されている後面１５には、図２（ｂ）に示すように、円形の開口部１６が形成されている。イメージセンサ１２は、開口部１６を通して受光面１８が被写体側（前方）に向くように固定されている。後面１５は、光軸ＡＸに直交する平面として形成されている。そのため、後面１５に固定されたイメージセンサ１２の受光面１８も、光軸ＡＸに直交する。なお、イメージセンサ１２と後面１５との隙間から光が入り込まないようにしておく。
【００３１】
被写体からの光は、図３に示すように、第２レンズ群６３、絞り部７１、第１レンズ群３５をこの順に通過し、さらにベース部１０の開口部１６を通過してイメージセンサ１２の受光面１８に到達する。
【００３２】
（遮光壁２０）
図２（ｂ）に戻って、ベース部１０の開口部１６の周囲には、開口部１６を取り囲むように円筒形の遮光壁２０が形成されている。遮光壁２０は、ベース部１０の前面１７から光軸ＡＸに平行（光軸ＡＸ方向）に、前方に向かって延在して形成されている壁状構造体である。前面１７は、後面１５の反対側に形成された面である。延在するとは、前面１７から壁状に突出して（立ち上がって）形成されていることである。
【００３３】
遮光壁２０は、イメージセンサ１２の受光面１８に入射する不要光を遮光する役割を有する。つまり、イメージセンサ１２の受光面１８の周囲に遮光壁２０を設けることにより、レンズ鏡筒ユニット１の内部に不要光が侵入しても、その不要光がイメージセンサ１２の受光面１８に到達することを防止することができる。
【００３４】
不要光（迷光）とは、イメージセンサ１２による所望の画像取得のために不要か、又は有害となる光線をいう。画像におけるゴーストやフレアは、レンズ鏡筒ユニット１内部に侵入した不要光が、レンズ鏡筒ユニット１内面で反射してイメージセンサ１２まで到達した結果生じるものである。
【００３５】
遮光壁２０はこのような不要光を遮る役割を有するため、第１レンズ枠３０と干渉しない範囲で、イメージセンサ１２の受光面１８の周囲をできるだけ狭い範囲で取り囲むことが望ましい。
【００３６】
レンズ鏡筒ユニット１では、イメージセンサ１２ではなく開口部１６を取り囲むように遮光壁２０が形成されている。具体的には、ベース部１０の、イメージセンサ１２を配置する位置に、第２レンズ群６３と第１レンズ群３５によって集光された光束がすべて通過できる大きさ以上の径を有する開口部１６を形成している。そして、イメージセンサ１２をベース部１０の前面１７ではなく後面１５に固定している。
【００３７】
ベース部１０の後面１５に配置されたイメージセンサ１２は、ベース部１０の開口部１６を通過した光を受光する。そして遮光壁２０は、ベース部１０の前面１７に形成されている。このような構造により、遮光壁２０は、矩形のイメージセンサ１２の全体を取り囲む必要がなく、光束を受光する受光面１８の円形の範囲の周囲だけに形成することができる。このように形成することで、イメージセンサ１２に入射する不要光を少なくすることができる。
【００３８】
遮光壁２０の高さは、第１レンズ枠３０が後退したときに遮光壁２０と干渉しない範囲で、できるだけ高く（大きく）することが好ましい。そのため、遮光壁２０の形状を、第１レンズ枠３０の外形状である円形に合わせて円筒形としている。
【００３９】
遮光壁２０の前端部には、図２（ｂ）に示すように、その内径が後方に向かって小さくなるテーパ部２２が形成されている。この理由については後述する。
【００４０】
遮光壁２０は、ベース部１０と一体的に非光透過性の合成樹脂で形成されている。一体的にとは、遮光壁２０がベース部１０に接着やネジ止め等により結合されて形成されているのではなく、遮光壁２０とベース部１０が最初から一つの部材として製造されているということである。これは例えば射出成形により製造することができる。
【００４１】
遮光壁２０とベース部１０を別々に製造してその後に接合してもよいが、その場合は遮光壁２０とベース部１０との隙間から光が入らないようにする必要がある。また、一体成形のほうが安価に製造することができ、好ましい。
【００４２】
（第１レンズ枠３０）
第１レンズ枠３０は、図４に示すように、第１レンズ群３５を保持する第１レンズ保持部３４と、第１レンズ保持部３４に結合された第１支持部材３１と、第１レンズ保持部３４に結合された第１ラック支持部３２とを備える。第１ラック支持部３２には、図３に示すように、第１ラック３３が結合されている。第１ラック３３には雌ネジが切られている。なお、図４では第１レンズ群３５は図示していない。第１レンズ枠３０は、例えば非光透過性の合成樹脂で形成される。
【００４３】
筐体８０の内部には、棒状の第１ガイド軸４２が図２（ａ）及び図５に示すように、光軸ＡＸに平行に固定されている。第１ガイド軸４２は、第１レンズ枠３０の第１支持部材３１と摺動可能に係合されている。これにより、第１ガイド軸４２は、第１レンズ枠３０を支持している。
【００４４】
筐体８０の内部には、棒状の第１ガイド軸４２から光軸ＡＸを中心におよそ１３５°離れた位置に第１送りネジ４６（図３参照、図５には図示せず）が配置されている。第１送りネジ４６は、光軸ＡＸに平行に第１駆動モータ（ステッピングモータ）４５に回転可能に結合されている。また第１送りネジ４６は、第１レンズ枠３０の第１ラック３３に螺合している。これにより、第１送りネジ４６は第１レンズ枠３０を支持している。
【００４５】
第１レンズ枠３０は、上述のように第１ガイド軸４２と第１送りネジ４６との２つの部材で安定に支持されている。
【００４６】
第１送りネジ４６の外周には、雄ネジが切られている。第１ラック３３には、雌ネジが切られており、第１送りネジ４６の雄ネジと螺合している。図２（ａ）に示す第１駆動モータ４５により第１送りネジ４６が左右方向に回転すると、第１送りネジ４６に係合する第１ラック３３（第１ラック支持部３２）が光軸ＡＸに沿って前後に移動する。即ち第１レンズ枠３０が光軸ＡＸに沿って前後に移動する。
【００４７】
第１レンズ枠３０が前方に移動すると、光学系の合成焦点距離が長くなる。即ちレンズ鏡筒ユニット１は望遠モードとなる。第１レンズ枠３０が最も前方に移動したときの第２レンズ枠６０との配置関係を図５（ａ）に示す。また第１レンズ枠３０が後方に移動すると、光学系の合成焦点距離が短くなる。即ちレンズ鏡筒ユニット１は広角モードとなる。第１レンズ枠３０が最も後方に移動したときの第２レンズ枠６０との配置関係を図５（ｂ）に示す。
【００４８】
なお、光学系の焦点位置はイメージセンサ１２の受光面１８であり不変である。焦点位置を固定するため、第１レンズ枠３０と第２レンズ枠６０との相対位置関係は決まっている。第１レンズ枠３０と第２レンズ枠６０のそれぞれは、図示しない制御部により、焦点距離に応じてイメージセンサ１２の受光面１８に焦点を結ぶ位置に移動するように制御される。
【００４９】
第１レンズ枠３０は、図４に示すように、第１レンズ保持部３４と第１支持部材３１との間、及び第１レンズ保持部３４と第１ラック支持部３２との間にそれぞれ遮光壁収容部３７を設けている。
【００５０】
遮光壁収容部３７は、遮光壁２０の壁が入り込む空間である。具体的には、第１レンズ枠３０を後退させたとき、即ち第１レンズ枠３０をイメージセンサ１２に近づけたときに、第１レンズ枠３０が遮光壁２０の壁と干渉しないようにするための空間である。遮光壁収容部３７があることにより、遮光壁２０の内側の空間に第１レンズ保持部３４が入り込むことができる。言い換えれば、図５（ｂ）に示すように、第１レンズ保持部３４の後端３６が、遮光壁２０の前端２１よりも後方に移動可能である。
【００５１】
遮光壁２０の内側の空間とは、遮光壁２０の底面に相当する、ベース部１０の前面１７から、遮光壁２０の前端２１までの内部空間である。
【００５２】
第１レンズ保持部３４は、全体として、後方にいくほど外形が小さくなっている。これは遮光壁２０の内側の空間に第１レンズ保持部３４が入り込みやすくするためである。
【００５３】
第１レンズ保持部３４の前方の外周は、後方に向かって外径が小さくなるテーパ部３８が形成されている。
【００５４】
第１レンズ保持部３４のテーパ部３８の形状は、遮光壁２０のテーパ部２２の形状と相補的な形状となっている。つまり、テーパ部３８の外形は、後方に向かって外径が小さくなる円筒形である。また、遮光壁２０の前端部分の内側のテーパ部２２は、後方に向かって内径が小さくなる円筒形である。
【００５５】
テーパ部３８は、図５（ｂ）の断面図に示すように、第１レンズ枠３０が最も後退した（最もイメージセンサ１２に近づいた）ときに、テーパ部２２と相対する位置にある。
【００５６】
次に、第１レンズ枠３０と遮光壁２０との配置関係について説明する。
【００５７】
遮光壁２０の高さ、即ちベース部１０の前面１７から遮光壁２０の前端２１までの高さＨは、図５（ａ）に示すように、第１レンズ枠３０がイメージセンサ１２から最も離れた位置にあるときの第１レンズ枠３０の後端３６の、ベース部１０の前面１７からの高さＨ１よりも大きい。このように構成することにより、不要光が遮光壁２０の内側に侵入し、受光面１８へ入射することを効果的に抑制することができる。なお、ＨとＨ１が同じであってもよい。
【００５８】
第１レンズ枠３０がイメージセンサ１２から最も離れた位置にきたとき、遮光壁２０の高さＨが、第１レンズ枠３０の後端３６の、ベース部１０の前面１７からの高さＨ１より小さいと、第１レンズ枠３０の後端３６と遮光壁２０の前端２１との間に光軸ＡＸ方向の隙間が生じるため、不要光が入りやすくなる。
【００５９】
なお、第１レンズ枠３０がイメージセンサ１２から最も近づいた位置にきたときの第１レンズ枠３０の後端３６の、ベース部１０の前面１７からの高さＨ２は、図５（ｂ）に示すように、遮光壁２０の高さＨよりも小さい。
【００６０】
前述のように、遮光壁２０の前端部分には、その内径が後方に向かって小さくなるテーパ部２２が形成されている（図５（ａ）参照）。この理由は以下の通りである。
【００６１】
上述したように、第１レンズ枠３０を最も後退させたとき、第１レンズ枠３０のテーパ部３８は、図５（ｂ）に示すように遮光壁２０のテーパ部２２と相対する位置にある。そして第１レンズ枠３０のテーパ部３８と遮光壁２０のテーパ部２２とが相補的な形状である。
【００６２】
テーパ部３８とテーパ部２２とが相補的な形状であるため、図６に示すように、第１レンズ保持部３４と遮光壁２０との間隔Ｈ３を小さくすることができる。また、間隔Ｈ３という小さな間隔を有する隙間を長い範囲Ｌに亘って形成することができる。その結果、不要光が遮光壁２０の内側へ侵入することを抑制することができる。また、テーパ部２２がない場合に比べて遮光壁２０の高さＨをより大きく形成することができ、不要光の侵入をさらに抑制することができる。
【００６３】
（第２レンズ枠６０）
第２レンズ枠６０は、図３に示すように、第２レンズ群６３を保持する第２レンズ保持部６４と、第２レンズ保持部６４に結合された第２支持部材６１（図では後方にあるため見えない）と、第２レンズ保持部６４に結合された第２ラック支持部６２とから構成される。第２ラック支持部６２には、第２ラック６５が結合されている。第２レンズ枠６０は、例えば非光透過性の合成樹脂で形成される。
【００６４】
第２レンズ枠６０も、第１レンズ枠３０と同様に筐体８０の内部で移動可能に支持されている。具体的には、図２（ａ）及び図５に示すように、筐体８０の内部に棒状の第２ガイド軸５２が光軸ＡＸに平行に固定されている。第２ガイド軸５２は、第２レンズ枠６０の第２支持部材６１と摺動可能に係合されている。これにより、第２ガイド軸５２は、第２レンズ枠６０を支持している。
【００６５】
筐体８０の内部には、図２（ａ）に示すように、棒状の第２ガイド軸５２から光軸ＡＸを中心におよそ１３５°離れた位置に第２送りネジ５６が配置されている。第２送りネジ５６は、光軸ＡＸに平行に第２駆動モータ（ステッピングモータ）５５に回転可能に結合されている。また第２送りネジ５６は、第２レンズ枠６０の第２ラック支持部６２の第２ラック６５に螺合している。これにより、第２送りネジ５６は第２レンズ枠６０を支持している。
【００６６】
第２レンズ枠６０は、上述のように第２ガイド軸５２と第２送りネジ５６との２つの部材で安定に支持されている。
【００６７】
第２送りネジ５６の外周には、雄ネジが切られている。第２ラック６５には、雌ネジが切られている。図２（ａ）に示す第２駆動モータ５５により第２送りネジ５６が左右方向に回転すると、第２送りネジ５６に螺合する第２ラック６５（第２ラック支持部６２）が光軸ＡＸに沿って前後に移動する。即ち第２レンズ枠６０が光軸ＡＸに沿って前後に移動する。
【００６８】
図５に示すように、第２レンズ枠６０が後方に移動すると、光学系の合成焦点距離が長くなる。即ちレンズ鏡筒ユニット１は望遠モードとなる。また第２レンズ枠６０が前方に移動すると、光学系の合成焦点距離が短くなる。即ちレンズ鏡筒ユニット１は広角モードとなる。
【００６９】
前述のように、図示しない制御部により、第２レンズ枠６０は焦点距離に応じて、第１レンズ枠３０とともに特定の位置関係となるように制御される。
【００７０】
次に第１レンズ枠３０の動作と、第１レンズ枠３０と遮光壁２０との関係について、図７（ａ）〜図７（ｃ）を用いて説明する。なお、図７は第１駆動モータ４５と第１送りネジ４６を図示するため、図５とは異なる断面で示している。また図７には第２レンズ枠６０は省略してある。
【００７１】
レンズ鏡筒ユニット１は、図９に示すように例えば監視カメラ１００に用いられる。この場合、監視カメラ１００の操作者がモニター１１０を見て、焦点距離を変える信号を、操作部１２０からレンズ鏡筒ユニット１の制御部に無線又は有線で送信する。監視カメラ１００の図示しない制御部は、焦点距離を長くするか短くするかによって、図２（ａ）に示す第１駆動モータ４５と第２駆動モータ５５とにそれぞれ駆動信号を送信する。第１駆動モータ４５と第２駆動モータ５５は、図示しない電源から電力の供給を受け、それぞれ必要な方向に第１送りネジ４６（図２（ａ）では図示せず）と第２送りネジ５６を必要な回転数だけ回転することにより、第１レンズ枠３０と第２レンズ枠６０（図２（ａ）では図示せず）とをそれぞれ光軸ＡＸ方向前後に移動させる。
【００７２】
操作者がレンズ鏡筒ユニット１を最も望遠となるように操作すると、図７（ａ）に示すように第１レンズ枠３０は最もイメージセンサ１２から遠ざかる。このとき、遮光壁２０の前端２１までの高さは、第１レンズ枠３０の後端３６よりも距離ｈだけ高い。この高さの差（ｈ）によって、側面から遮光壁２０の内部に不要光が入射するのを防いでいる。なお、遮光壁２０の壁は遮光壁収容部３７にほぼ入り込んでいない。
【００７３】
図７（ａ）に示す最も望遠の状態から、操作者がレンズ鏡筒ユニット１を少し広角となるように操作すると、図７（ｂ）に示すように、第１レンズ枠３０が少しイメージセンサ１２に近づく。このとき、遮光壁２０の前端２１の高さと第１レンズ枠３０の後端３６の高さとの差ｈは図７（ａ）のときより大きくなっている。また遮光壁２０の壁が遮光壁収容部３７に少し入り込んでいる。
【００７４】
操作者がレンズ鏡筒ユニット１を最も広角となるように操作すると、図７（ｃ）に示すように、第１レンズ枠３０は最もイメージセンサ１２に近づく。このとき、遮光壁２０の壁の大部分が遮光壁収容部３７に入り込んでいる。そして相補的な形状を有する遮光壁２０のテーパ部２２と第１レンズ枠３０のテーパ部３８とが相対し、その間に小さな隙間を形成して不要光の侵入を防止する。
【００７５】
以上のように、第１レンズ枠３０の位置にかかわらず、遮光壁２０の前端２１の高さは常に第１レンズ枠３０の後端３６の高さよりも高い。これにより、不要光がイメージセンサ１２に入射することを効果的に防止することができる。
【００７６】
以上に説明したレンズ鏡筒ユニット１によれば、イメージセンサ１２の周囲に遮光壁２０を設けるだけの簡易な構造で、不要光がイメージセンサ１２に入射することが防止でき、フレアやゴーストの発生を防止することができる。
【００７７】
以上、本発明の実施の形態に係るレンズ鏡筒ユニット１について説明した。しかし本発明の実施の形態はこれに限られるものではない。
【００７８】
（変形例）
上記実施の形態では、遮光壁２０はベース部１０の前面１７から光軸ＡＸの前方方向に延在する壁状構造体とした。しかしこれに限られず、例えば図８（ａ）、（ｂ）に示すように、遮光壁２０を陥凹壁２０Ａとして形成してもよい。
【００７９】
図８（ａ）、（ｂ）に示すレンズ鏡筒ユニット２は、ベース部１０Ａの中央部に、後方に凹んだ陥凹部２０Ａを設ける。そして陥凹部２０Ａの底面（前面）１７Ａに開口を設け、その後面１５Ａからイメージセンサ１２を配置する。この場合、陥凹部２０Ａの深さＨ４が遮光壁の高さ（延在長さ）に対応する。
【００８０】
第１レンズ枠３０Ａが最もイメージセンサ１２に近づいたとき、図８（ａ）に示すように、第１レンズ枠３０Ａのテーパ部３８Ａと陥凹部２０Ａのテーパ部２２Ａとは相対する。
【００８１】
第１レンズ枠３０Ａが最もイメージセンサ１２から離れたとき、図８（ｂ）に示すように、第１レンズ枠３０Ａの後端３６Ａの、底面１７Ａからの高さＨ５は、陥凹部２０Ａの深さＨ４よりも小さい。
【００８２】
第１レンズ枠３０Ａの第１支持部材３１Ａや第１ラック支持部３２Ａは、第１レンズ枠３０Ａがイメージセンサ１２に近づいたときにベース部１０Ａと干渉しないように、第１レンズ枠３０Ａの前端部に取り付ける。このように構成しても上記実施の形態と同じ効果が得られる。
【００８３】
上記実施の形態では、遮光壁２０は円筒形であって後端部と前端部の外径と内径が（テーパ部２２を除いて）同じである。しかし遮光壁２０の形状はこれに限られない。例えば、後端部と前端部の外径又は内径が異なってもよい。また後端部と前端部の形状が異なってもよい。
【００８４】
また、遮光壁２０は円筒形である必要はなく、光軸ＡＸに直交する断面が例えば多角形でもよい。ただし、遮光壁２０の内側の形状は、第１レンズ枠３０の外形と相補的な形状であることが不要光を遮るという観点から好ましい。例えば、第１レンズ枠３０の外形が多角形であれば、遮光壁２０の内側の形状も相補的な多角形であることが好ましい。
【００８５】
上記の実施の形態では、イメージセンサ１２はベース部１０の開口の後面に配置した。しかしこれに限らず、イメージセンサ１２をベース部１０の前面１７に配置してもよい。この場合はベース部１０に開口を設けず、遮光壁２０はイメージセンサ１２の全体を取り囲むように配置する。
【００８６】
上記の実施の形態では、筐体８０、ベース部１０、遮光壁２０、第１レンズ枠３０、第２レンズ枠６０は光反射防止のための表面処理は行っていない。しかしこれらの一部又は全てに光反射防止のための表面処理を行ってもよい。
【００８７】
なお、本発明で用いるレンズは、所望の物性（例えば屈折率・アッベ数・部分分散比・線膨張係数）や耐久性などを満たせば、レンズの枚数やレンズの材質やレンズの形状は問わない。
また、本発明で用いるレンズのレンズ面は、球面または平面で形成されても、非球面で形成されてもよい。レンズ面が球面または平面の場合、レンズ加工及び組立調整が容易になり、加工及び組立調整の誤差による光学性能の変化を防げるので好ましい。また、レンズ面が非球面の場合、非球面は、研削加工による非球面、ガラスを型で非球面形状に形成したガラスモールド非球面、ガラスの表面に樹脂を非球面形状に形成した複合型非球面のいずれの非球面でも構わない。また、レンズ面は回折面としてもよく、レンズを屈折率分布型レンズ（ＧＲＩＮレンズ）あるいはプラスチックレンズとしてもよい。
更に、本発明で用いるレンズのレンズ面は、必要に応じて、レンズ体の表面に、様々な加工を施すことも可能である。この加工の例として、レンズ体の曇り防止や水滴形成防止のために表面部を光触媒などにより親水化することが挙げられる。例えば、カメラなどでの使用時等に外部に晒される可能性がある部位に対して、レンズ本体の曇り防止や水滴形成防止のために、光触媒等により親水化する加工等が挙げられる。
【００８８】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００８９】
本発明に係るレンズ鏡筒ユニットは、例えば、カメラなどの光学機器（デジタルカメラなどの民生用カメラ、車載カメラ、監視カメラ、内視鏡カメラなどに搭載する医療用カメラ、動画撮影を行なうカムコーダー（ムービーカメラ）、各種検査カメラ、ロボット用カメラなど）や電子機器（ウェアラブル端末など）に搭載される、撮像装置に用いることが可能である。
【符号の説明】
【００９０】
１、２  レンズ鏡筒ユニット
１０、１０Ａ  ベース部
１２  イメージセンサ（受光部材）
１３  ネジ
１４  ネジ貫通孔
１５、１５Ａ  後面
１６  開口部
１７  前面
１７Ａ  底面（前面）
１８  イメージセンサの受光面
２０  遮光壁（突起）
２０Ａ  陥凹部
２１  前端
２２、２２Ａ  テーパ部
３０、３０Ａ  第１レンズ枠（第１の可動レンズ枠）
３１、３１Ａ  第１支持部材
３２、３２Ａ  第１ラック支持部
３３  第１ラック
３４  第１レンズ保持部
３５  第１レンズ群
３６  後端
３７  遮光壁収容部
３８、３８Ａ  テーパ部
３９  ネジ孔
４２  第１ガイド軸
４５  第１駆動モータ
４６  第１送りネジ
５２  第２ガイド軸
５５  第２駆動モータ
５６  第２送りネジ
６０  第２レンズ枠（第２の可動レンズ枠）
６１  第２支持部材
６２  第２ラック支持部
６３  第２レンズ群
６４  第２レンズ保持部
６５  第２ラック
７０  絞りユニット
７１  絞り部
８０  筐体（レンズ鏡筒）
１００  監視カメラ
１１０  モニター
１２０  操作部
【図１】
2017049330.tif 000003
【図２】
2017049330.tif 000004
【図３】
2017049330.tif 000005
【図４】
2017049330.tif 000006
【図５】
2017049330.tif 000007
【図６】
2017049330.tif 000008
【図７】
2017049330.tif 000009
【図８】
2017049330.tif 000010
【図９】
2017049330.tif 000011